(57)【要約】【課題】防振マウント１１とともにステッピングモーター２１に取り付けられるステッピングモーター用ダイナミックダンパー１において、ステッピングモーター２１を冷却する機能を備えたダイナミックダンパー１を提供する。【解決手段】防振マウント１１とともにステッピングモーター２１に取り付けられるダイナミックダンパー１において、当該ダイナミックダンパー１のマス部３におけるステッピングモーター２１に対向する面３ａにゴム状弾性体よりなる空冷フィン部５が設けられている。このゴム状弾性体よりなる空冷フィン部５は当該ダイナミックダンパー１の本体ゴム部４と同一の材質にて一体成形するのが好適である。【選択図】　図１
2004028295.tif 000002
【特許請求の範囲】
【請求項１】
防振マウント（１１）とともにステッピングモーター（２１）に取り付けられるダイナミックダンパー（１）において、
当該ダイナミックダンパー（１）のマス部（３）における前記ステッピングモーター（２１）に対向する面（３ａ）にゴム状弾性体よりなる空冷フィン部（５）を設けたことを特徴とするダイナミックダンパー。
【請求項２】
請求項１のダイナミックダンパーにおいて、
上記ゴム状弾性体よりなる空冷フィン部（５）が当該ダイナミックダンパー（１）の本体ゴム部（４）と同一の材質にて一体成形されていることを特徴とするダイナミックダンパー。
【発明の詳細な説明】
【０００１】
【発明の属する技術分野】
本発明は、防振技術に係るダンパーに係り、更に詳しくは防振マウントとともにステッピングモーターに取り付けられるダイナミックダンパーに関するものである。
【０００２】
【従来の技術】
複写機やファクシミリ機器の駆動源等として用いられるステッピングモーターにおいては近年、その防振性能を向上させるべく、ステッピングモーターが防振マウントを介して取付フレームに連結されるとともに、ステッピングモーターの作動軸の軸周にダイナミックダンパーが取り付けられている。この場合、防振マウントがなければステッピングモーターと取付フレームとが互いに金属接触するために、ステッピングモーターの作動熱を取付フレーム側へ逃がすことができるが、上記したように防振マウントが介装され、この防振マウントにマウントゴム部が設けられているために、このゴム部の断熱作用によって放熱ルートが遮断されてしまう。したがって、ステッピングモーターが放熱できず、過熱してトラブル発生の原因となることがある。
【０００３】
【発明が解決しようとする課題】
本発明は以上の点に鑑みて、防振マウントとともにステッピングモーターに取り付けられるステッピングモーター用ダイナミックダンパーにおいて、ステッピングモーターを冷却する機能を備えたダイナミックダンパーを提供することを目的とする。
【０００４】
【課題を解決するための手段】
上記目的を達成するため、本発明の請求項１によるダイナミックダンパーは、防振マウントとともにステッピングモーターに取り付けられるダイナミックダンパーにおいて、当該ダイナミックダンパーのマス部における前記ステッピングモーターに対向する面にゴム状弾性体よりなる空冷フィン部を設けたことを特徴とするものである。
【０００５】
また、本発明の請求項２によるダイナミックダンパーは、上記した請求項１のダイナミックダンパーにおいて、上記ゴム状弾性体よりなる空冷フィン部が当該ダイナミックダンパーの本体ゴム部と同一の材質にて一体成形されていることを特徴とするものである。
【０００６】
上記構成を備えた本発明の請求項１によるダイナミックダンパーのように、マス部におけるステッピングモーターに対向する面にゴム状弾性体よりなる空冷フィン部が設けられると、ステッピングモーターの作動時にその作動軸およびダイナミックダンパーとともに空冷フィン部が回転し、風が起こり、空気の流れが発生する。しかして、この空気の流れがマス部のステッピングモーターに対向する面で生じてステッピングモーターの外面に及ぶために、ステッピングモーターを空気冷却することが可能となる。
【０００７】
またこれに加えて、上記構成を備えた本発明の請求項２によるダイナミックダンパーにおいては、ゴム状弾性体よりなる空冷フィン部がダイナミックダンパーの本体ゴム部と同一材質にて一体成形されているために、空冷フィン部を本体ゴム部と金型で同時に成形することができ、よって空冷フィン部を容易に成形することができる。また、ダイナミックダンパーの部品点数が増えることがなく、ダイナミックダンパーの重量がモーターの作動に支障が生じるほど増えることもない。
【０００８】
尚、本件出願には、以下の技術的事項が含まれる。
【０００９】
すなわち、上記目的を達成するため、本件出願が提案する一のダイナミックダンパーは以下の内容を備えている。
【００１０】
▲１▼　ステッピングモーターに取り付けられるダイナミックダンパーのマス部に薄い板状のフィンを何枚か設けることにより、モーター稼動時にダイナミックダンパーが回転してフィン部で風を起こしてモーターの冷却を可能とする。ダイナミックダンパーのフィン部はゴムを板状に成形するものであって、部品点数を増やす必要がない。フィン部の板は、必要に応じてその枚数を増減したり、形状に角度や曲面を持たせたりすることにより、効果を調整することが可能である。フィン部のゴムは、柔らかくて倒れ込まなければ、ダンパー本体ゴムと同一のゴムで良い。柔らかい場合は、その対策としてフィン部に芯（部品）を入れることが考えられる。フィン部の大きさ（幅と高さ）は、倒れ込み等の問題がなく、取付スペースの許される範囲で、できるだけ大きくするのが望ましい。ゴム製のフィン部は極端な重量の増加がないため、モーターの起動トルクが問題となるほど大きくなることはない。
【００１１】
▲２▼　ステッピングモーターの振動対策としてマウントが使用されているが、モーターに発生する熱に対してはゴムが断熱して、モーターが放熱できず、過熱する問題がある。これに対して当該ダイナミックダンパーは、マス部にゴムのフィンを設けて回転時に風を起こしてモーターを冷却するものである。
【００１２】
▲３▼　上記ダイナミックダンパーによれば、ダイナミックダンパーにモーターの空冷機能を持たせることにより、これまで使用されてきたマウントをそのまま使用することができ、特別にモーターの放熱用に部品等を追加する必要がなく、問題を改善することができる。また、特殊な部品を追加する必要がないため、部品点数の増加がなく、コストの上昇を抑えることもできる。
【００１３】
【発明の実施の形態】
つぎに本発明の実施例を図面にしたがって説明する。
【００１４】
図１は、本発明の実施例に係るダイナミックダンパー１を防振マウント１１とともにステッピングモーター２１に取り付けた状態の断面を示している。図２はこのダイナミックダンパー１の単品図である。
【００１５】
図１に示すように、ステッピングモーター２１は防振マウント１１を介して取付フレーム３１に連結されている。
【００１６】
防振マウント１１は、ステッピングモーター２１のモーターハウジング２２にネジ等の取付手段により取り付けられる一方の取付プレート１２と、取付フレーム３１に同じくネジ等の取付手段により取り付けられる他方の取付プレート１３と、両取付プレート１２，１３間において両取付プレート１２，１３に加硫接着されたマウントゴム部１４とを有しており、マウントゴム部１４の弾性作用によってステッピングモーター２１を弾性的に支持するように構成されている。但しマウントゴム部１４の介在によりステッピングモーター２１の放熱ルートが遮断されることは上記したとおりである。
【００１７】
ステッピングモーター２１は、上記したように複写機やファクシミリ機器等の駆動源として用いられるものであり、その作動軸２３の前端部にトルク出力用のプーリー２４が取り付けられるとともに、作動軸２３の後端部にダイナミックダンパー１が取り付けられている。
【００１８】
ダイナミックダンパー１は、作動軸２３の外周に嵌着されるハブ２と、その外周に配置されたマス部３と、ハブ２およびマス部３間において両部材２，３に加硫接着された本体ゴム部４とを有しており、その共振作用によってステッピングモーター２１に発生する振動を減衰するように構成されており、更にマス部３におけるステッピングモーター２１に対向する面３ａに、ゴム状弾性体よりなる空冷フィン部５が設けられている。
【００１９】
この空冷フィン部５は、図２に示すように、マス部３の端面３ａに放射状に配置された複数の板状フィン６によって形成されており（図上１２等配）、各フィン６は、本体ゴム部４と同一種類のゴムよりなり、本体ゴム部４に一体成形されており、マス部３の端面３ａに加硫接着されている。
【００２０】
また、マス部３の反対側の端面３ｂおよび外周面３ｃには、これらの面３ｂ，３ｃを覆うようにゴム状弾性体よりなる被覆部７が設けられており、この被覆部７はこれも本体ゴム部４と同一種類のゴムよりなり、本体ゴム部４に一体成形されており、マス部３の端面３ｂおよび外周面３ｃに加硫接着されている。
【００２１】
また、上記各フィン６は、その長手方向一端部においてマス部３の端面３ａの内周縁部に達して、マス部３の内周面３ｄに加硫接着された本体ゴム部４と一体に繋がるよう形成されており、かつその長手方向他端部においてマス部３の端面３ａの外周縁部に達して、マス部３の反対側の端面３ｂおよび外周面３ｃに加硫接着された被覆部と一体に繋がるように形成されている。
【００２２】
上記構成の防振マウント１１、ステッピングモーター２１およびダイナミックダンパー１が取付フレーム３１を介して上記複写機等に取り付けられてステッピングモーター２１が作動すると、作動熱が発生するので、これを放熱する必要があるが、取付フレーム３１側への放熱ルートは上記したように防振マウント１１のマウントゴム部１４によって遮断されてしまっている。
【００２３】
しかしながら、上記構成のダイナミックダンパーによると、マス部３におけるステッピングモーター２１側の端面３ａに、複数の板状フィン６を放射状に配置した空冷フィン部５が設けられているために、ステッピングモーター２１の作動時に作動軸２３およびダイナミックダンパー１とともに空冷フィン部５が回転すると、風が起こり、空気の流れが発生し、この空気の流れがステッピングモーター２１の外面に及ぶことから、この空気の流れによってステッピングモーター２１を有効に空気冷却することができる。したがって、ステッピングモーター２１が過熱してトラブルが発生するのを未然に防止することができる。
【００２４】
また、上記構成のダイナミックダンパー１によると併せて、以下の作用効果を奏することが可能である。
【００２５】
すなわち先ず、空冷フィン部５が本体ゴム部４に対して同一種類のゴムにより一体成形されているために、この空冷フィン部５を本体ゴム部４と金型で同時に成形することができ、よって空冷フィン部５を多くの手間をかけずに成形することができる。また、ダイナミックダンパー１として部品点数が増加しないために部品増によるコスト増を抑えることができる。
【００２６】
また、空冷フィン部５がゴム製であって比較的軽量であるために、ダイナミックダンパー１の重量がステッピングモーター２１の作動に支障が生じるほどに増大することがない。したがって、ステッピングモーター２１の起動トルクが増大してステッピングモーター２１が起動しにくくなることがない。
【００２７】
また、上記構成によると、ダイナミックダンパー１が空冷機能を備えているために、これと組み合わされるステッピングモーター２１や防振マウント１１についてはモーター冷却手段を設ける必要がない。したがって、当該ダイナミックダンパー１と組み合わされるステッピングモーター２１および防振マウント１１として、従来よりのものをそのまま継続して使用することができる。
【００２８】
また、上記したように空冷フィン部５の各フィン６が、その長手方向一端部においてマス部３の内周面３ｄに加硫接着された本体ゴム部４と一体に繋がるよう形成されるとともに、その長手方向他端部においてマス部３の反対側の端面３ｂおよび外周面３ｃに加硫接着された被覆部７と一体に繋がるように形成されているために、各フィン６は、マス部３をその端面３ａ、内周面３ｄ、反対側の端面３ｂおよび外周面３ｃの四方から抱持するゴムの一部として形成されている。マス部３を四方から抱持するゴムは、マス部３に抱き付いているために、マス部３から剥がれにくいものである。したがって上記構成によると、フィン６がマス部３から剥がれにくい。
【００２９】
【発明の効果】
本発明は、以下の効果を奏する。
【００３０】
すなわち、上記構成を備えた本発明の請求項１によるダイナミックダンパーにおいては、マス部におけるステッピングモーターに対向する面にゴム状弾性体よりなる空冷フィン部が設けられているために、ステッピングモーターの作動時に作動軸およびダイナミックダンパーとともにこの空冷フィン部が回転すると、風が起こり、空気の流れが発生し、この空気の流れがステッピングモーターの外面に及ぶことから、この空気の流れによってステッピングモーターを有効に空気冷却することができる。したがって、ステッピングモーターが過熱してトラブルが発生するのを未然に防止することができる。
【００３１】
またこれに加えて、上記構成を備えた本発明の請求項２によるダイナミックダンパーにおいては、ゴム状弾性体よりなる空冷フィン部がダイナミックダンパーの本体ゴム部と同一材質にて一体成形されているために、空冷フィン部を本体ゴム部と金型で同時に成形することができ、よって空冷フィン部を容易に成形することができる。また、ダイナミックダンパーの部品点数が増加しないために、部品増によるコスト増を抑えることができる。また、空冷フィン部がゴム製であって比較的軽量であるために、ダイナミックダンパーの重量がステッピングモーターの作動に支障が生じるほど増大することがない。したがって、ステッピングモーターの起動トルクが増大してステッピングモーターが起動しにくくなることもない。
【図面の簡単な説明】
【図１】本発明の実施例に係るダイナミックダンパーの装着状態を示す断面図
【図２】（Ａ）は同ダイナミックダンパーの正面図、（Ｂ）は（Ａ）におけるＡ−Ａ線断面図
【符号の説明】
１　ダイナミックダンパー
２　ハブ
３　マス部
３ａ，３ｂ　端面
３ｃ　外周面
３ｄ　内周面
４　本体ゴム部
５　空冷フィン部
６　板状フィン
７　被覆部
１１　防振マウント
１２，１３　取付プレート
１４　マウントゴム部
２１　ステッピングモーター
２２　モーターハウジング
２３　作動軸
２４　プーリー
３１　取付フレーム
【図１】
2004028295.tif 000003
【図２】
2004028295.tif 000004
【手続補正書】
【提出日】平成14年7月29日(2002.7.29)
【手続補正１】
【補正対象書類名】図面
【補正対象項目名】全図
【補正方法】変更
【補正の内容】
【図１】
2004028295.tif 000005
【図２】
2004028295.tif 000006